(57)【特許請求の範囲】
【請求項１】
検出光を出射する投光部及び移動体によって反射された上記検出光を受光する受光部を有し、上記移動体の移動量を所定の周期で検出する移動量検出手段と、
上記受光部が内部に配置された操作キーと、
上記操作キーの操作に基づいて、キー操作信号を生成するキー操作検出手段と、
上記移動量検出手段によって検出された上記移動量を第１の時間だけ遅延させてスライド操作信号として出力するスライド操作信号出力手段とを備え、
上記スライド操作信号出力手段は、所定の閾値を越える上記移動量が検出されてから第３の時間が経過したことに基づいて、上記スライド操作信号の出力を開始し、次に上記スライド操作信号を出力するまでの間に上記キー操作信号が生成された場合に、当該キー操作信号の生成時点から遡って第１の時間以下の第２の時間前の時点までの無効期間内に検出された移動量が出力されないように、上記スライド操作信号の出力を終了することを特徴とする携帯端末装置。
【請求項２】
上記スライド操作信号出力手段は、所定の閾値を越える上記移動量が検出されたことに基づいて、上記スライド操作信号の出力を再開することを特徴とする請求項１に記載の携帯端末装置。
【請求項３】
上記第２の時間が、上記周期以上であることを特徴とする請求項１に記載の携帯端末装置。
【請求項４】
上記第１の時間が、上記周期以上であることを特徴とする請求項１に記載の携帯端末装置。
【発明の詳細な説明】
【技術分野】
【０００１】
本発明は、携帯端末装置に係り、さらに詳しくは、光を用いて移動体の移動量を検出して所定の操作信号を出力する携帯端末装置の改良に関する。
【背景技術】
【０００２】
近年、検出エリア内で指をスライドさせることによって、画面上のマウスポインタやカーソルを移動させることができる光学式ポインティングデバイスを備えた携帯電話機が提案されている（例えば、特許文献１）。この特許文献１に記載の携帯電話機では、決定キー内に光学式ポインティングデバイスが配置され、決定キーの表面を検出エリアとして指の移動が検出される。光学式ポインティングデバイスは、検出光を指に向けて出射する投光部と、指によって反射された検出光を受光する受光部とからなり、例えば、一定時間ごとに生成される指の画像を比較することによって、指の移動量が検知される。この様な光学式ポインティングデバイスは、検出精度が高く、指の僅かな移動であっても検出できるので、狭いスペースであっても配置可能なデバイスとなっている。
【０００３】
光学式ポインティングデバイスが操作キー内に配置され、当該操作キーと光学式ポインティングデバイスとを個別に独立して操作可能な携帯端末装置では、指のスライド操作による入力後、指を操作キーから離さなくてもキー操作による入力を行うことができる。しかしながら、指をスライドさせた後に操作キーを押下しなければならないので、操作キーの押下時における指の移動が光学式ポインティングデバイスによって誤検出され、ユーザの意図しない入力が行われてしまうという問題があった。
【０００４】
なお、ポインティングデバイスの誤操作を防止する技術として、キー操作後の一定期間中、ポインティングデバイスによる入力を無効化する方法が提案されている（例えば、特許文献２）。この特許文献２に記載の方法は、キー操作の直後におけるポインティングデバイスの誤操作を防止できるが、操作キーを操作しようとしてポインティングデバイスを誤って操作してしまうのを防止できるものではない。すなわち、特許文献２の方法は、操作キーの操作に基づいてポインティングデバイスによる入力を無効化するものであることから、キー操作の直前におけるポインティングデバイスの誤操作を防止できるものではない。
【特許文献１】特開２００２−６２９８４号公報
【特許文献２】特開２００２−１８２８２４号公報
【発明の開示】
【発明が解決しようとする課題】
【０００５】
本発明は、上記事情に鑑みてなされたものであり、光を用いて移動体の移動量を検出し、マウスポインタやカーソルの移動に利用可能なスライド操作信号を出力する携帯端末装置の操作性を向上することを目的としている。特に、光学式ポインティングデバイスによる入力に続けて当該光学式ポインティングデバイスが内部に配置された操作キーを操作する際の誤入力を抑制することができる携帯端末装置を提供することを目的としている。
【課題を解決するための手段】
【０００６】
第１の本発明による携帯端末装置は、検出光を出射する投光部及び移動体によって反射された上記検出光を受光する受光部を有し、上記移動体の移動量を所定の周期で検出する移動量検出手段と、上記受光部が内部に配置された操作キーと、上記操作キーの操作に基づいて、キー操作信号を生成するキー操作検出手段と、上記移動量検出手段によって検出された上記移動量を第１の時間だけ遅延させてスライド操作信号として出力するスライド操作信号出力手段とを備え、上記スライド操作信号出力手段が、所定の閾値を越える上記移動量が検出されてから第３の時間が経過したことに基づいて、上記スライド操作信号の出力を開始し、次に上記スライド操作信号を出力するまでの間に上記キー操作信号が生成された場合に、当該キー操作信号の生成時点から遡って第１の時間以下の第２の時間前の時点までの無効期間内に検出された移動量が出力されないように、上記スライド操作信号の出力を終了するように構成される。
【０００７】
この携帯端末装置では、次にスライド操作信号を出力するまでの間にキー操作信号が生成された場合に、キー操作信号の生成時点から遡って第２の時間前の時点までの無効期間内に検出された移動量が出力されないように、スライド操作信号の出力が終了されるので、キー操作の直前における移動体の移動が誤検出され、ユーザの意図しない入力が行われるのを抑制することができる。従って、光学式ポインティングデバイスによる入力に続けて操作キーを操作する際の誤入力が抑制され、ユーザの意図しない入力が行われるのを防止することができるので、光を用いて移動体の移動量を検出し、マウスポインタやカーソルの移動に利用可能なスライド操作信号を出力する携帯端末装置の操作性を向上することができる。また、閾値を越える移動量が最初に検出されたときから第３の時間が経過するまでの間に検出された移動量については、スライド操作信号が出力されないこととなるので、光学式ポインティングデバイスの操作直後における誤入力を抑制することができる。
【０００８】
第２の本発明による携帯端末装置は、上記構成に加えて、上記スライド操作信号出力手段が、所定の閾値を越える上記移動量が検出されたことに基づいて、上記スライド操作信号の出力を再開するように構成される。
【００１０】
第３の本発明による携帯端末装置は、上記構成に加えて、上記第２の時間が、上記周期以上であるように構成される。
【００１１】
第４の本発明による携帯端末装置は、上記構成に加えて、上記第１の時間が、上記周期以上であるように構成される。
【発明の効果】
【００１２】
本発明の携帯端末装置によれば、キー操作信号の生成時点から遡って第２の時間前の時点よりも後に検出された移動量に基づいて、スライド操作信号の出力が終了されるので、キー操作の直前における移動体の移動が誤検出され、ユーザの意図しない入力が行われるのを抑制することができる。従って、光学式ポインティングデバイスによる入力に続けて操作キーを操作する際の誤入力が抑制され、ユーザの意図しない入力が行われるのを防止することができるので、光を用いて移動体の移動量を検出し、マウスポインタやカーソルの移動に利用可能なスライド操作信号を出力する携帯端末装置の操作性を向上することができる。
【発明を実施するための最良の形態】
【００１３】
図１は、本発明の実施の形態による携帯端末装置の概略構成の一例を示した外観図であり、携帯端末装置の一例として、折り畳み可能な携帯電話機１が示されている。この携帯電話機１は、表示筐体１００及び操作筐体２００がヒンジ部３００を介して連結され、各筐体の一面を対向させて折り畳むことができる携帯情報端末である。
【００１４】
表示筐体１００は、情報表示のためのディスプレイ１０１と、受話用レシーバ１０２とが配置されている。ディスプレイ１０１には、液晶表示パネルの表示面が配置されている。操作筐体２００は、多数の操作キー２０１と、送話用マイクロホン２０２とが配置されている。
【００１５】
ヒンジ部３００は、表示筐体１００及び操作筐体２００を折り畳み可能に連結する連結手段である。この携帯電話機１では、両筐体を折り畳んだ収納状態と、両筐体を展開させた展開状態とが遷移可能となっている。
【００１６】
操作キー２０１には、方向キー２０３及び決定キー２０４が含まれている。方向キー２０３は、上下左右のいずれかを指示するための操作キーであり、中央部に矩形形状の開口が設けられている。この方向キー２０３は、決定キー２０４を挟んで上下左右に配置された４つの接点式スイッチからなる複合キーとなっており、押下部位に応じて異なる４種類の入力が可能となっている。方向キー２０３を操作することによって、上下左右の４つの方向入力が行われ、カーソルの移動や画面のスクロールを行うことができる。
【００１７】
決定キー２０４は、決定動作を指示するための押下型の操作キーであり、方向キー２０３に設けられた開口内に配置されている。この決定キー２０４内には、光を用いて指などの移動体の移動を検出する光学式ポインティングデバイスが配置されている。
【００１８】
図２は、図１の携帯電話機１の要部における構成例を示した断面図であり、操作筐体２００をＡ−Ａ線で切断した断面の様子が示されている。決定キー２０４は、いずれも隣接して配置された左キー２０３ａ及び右キー２０３ｂの間に配置されている。
【００１９】
左キー２０３ａ及び右キー２０３ｂは、いずれも接点式スイッチからなる方向キーであり、それぞれキートップ１０ａ、押し子１１、ドーム形状の電極板１４及び基板１２によって構成されている。
【００２０】
キートップ１０ａは、接点部を覆う表面カバーであり、裏面に押し子１１が配置されている。左キー２０３ａ及び右キー２０３ｂは、キートップ１０ａを介して押し子１１が押下された際に、押し子１１によって電極板１４が弾性変形し、この電極板１４の変形によって基板１２上の接点が導通することによりオンする。
【００２１】
決定キー２０４は、左キー２０３ａ及び右キー２０３ｂと同様の接点式スイッチからなる操作キーであり、キートップ１０ｂ、光学式ポインティングデバイスを収容するための収容部１０ｃ、押し子１１、ドーム形状の電極板１４及び基板１３によって構成されている。
【００２２】
キートップ１０ｂは、収容部１０ｃの開口を塞ぐための透光性を有する表面カバーである。ここでは、押し子１１が、収容部１０ｃの底面に配置されている。また、左キー２０３ａ及び右キー２０３ｂによって構成される方向キー２０３と決定キー２０４との間には、スペーサー１５が配置されている。なお、方向キー２０３を構成する上キー及び下キーについても、左キー２０３ａ及び右キー２０３ｂと同様に構成されているものとする。
【００２３】
決定キー２０４は、キートップ１０ｂ及び収容部１０ｃを介して押し子１１が押下された際に、押し子１１によって電極板１４が弾性変形し、この電極板１４の変形によって基板１３上の接点が導通することによりオンする。
【００２４】
収容部１０ｃ内には、光学式ポインティングデバイスを構成する投光部２１、集光レンズ２２及びイメージセンサー２３が配置されている。投光部２１は、指などの移動体を検出対象物とし、この様な移動体に向けて検出光を出射して移動体を照明する照明装置であり、例えば、赤外光を生成するＬＥＤ（Light Emitting Diode：発光ダイオード）が用いられる。
【００２５】
集光レンズ２２は、移動体によって反射された検出光を集光してイメージセンサー２３上に結像させるための光学レンズである。
【００２６】
イメージセンサー２３は、移動体によって反射された検出光を受光する複数の受光素子からなる撮像装置であり、受光素子ごとの受光量情報が出力される。集光レンズ２２及びイメージセンサー２３によって光学式ポインティングデバイスの受光部が構成されている。
【００２７】
この光学式ポインティングデバイスでは、キートップ１０ｂが光学式ポインティングデバイスの操作時における指の移動を検出するための検出窓となっており、検出窓の前方における移動体の移動が上記受光量情報に基づいて検出される。すなわち、検出窓を介して外部に出射された検出光が指などの移動体で反射され、その反射光が検出窓を介してイメージセンサー２３により受光されることによって、移動体の移動が検出される。従って、指のスライド操作による入力は、指がキートップ１０ｂに接触した状態であっても、また、キートップ１０ｂから離れた状態であっても可能な構成となっている。この様にキートップ１０ｂ前方で指をスライドさせることによって、指の移動が検出され、カーソルなどを移動させることができる。
【００２８】
また、光学式ポインティングデバイスを操作キー内に配置したことにより、操作キーとは別個に配置するのに比べて、より狭いスペースであっても配置可能となるので、装置を小型化することができる。
【００２９】
光学式ポインティングデバイスと、光学式ポインティングデバイスがキー内部に配置された決定キー２０４とは、個別に独立して操作することができ、指のスライド操作による入力後、指を決定キー２０４から離さなくてもキー操作による入力を行うことができる。しかしながら、指をスライドさせた後に決定キー２０４を押下しなければならないので、決定キー２０４の押下時における指の移動が光学式ポインティングデバイスによって誤検出され、ユーザの意図しない入力が生じ易い。
【００３０】
本実施の形態では、移動量の検出値を検出周期以上の第１の時間だけ遅延させてスライド操作信号として出力するとともに、光学式ポインティングデバイスが埋め込まれた決定キー２０４の操作が監視される。そして、移動量の検出値をキー操作の検出結果に基づいて選択的に出力することによって、この様な誤検出による誤入力を防止している。
【００３１】
図３は、図１の携帯電話機１の構成例を示したブロック図であり、携帯電話機１内の機能構成の一例が示されている。この携帯電話機１では、キートップ１０ｂ表面上で指をスライドさせた際の指の移動量が受光量情報に基づく画像処理によって検出され、この移動量情報に基づいてスライド操作信号が生成される。このスライド操作信号は、ディスプレイ１０１上でマウスポインタやカーソルを移動させたり、画面をスクロールさせるのに用いられる入力信号である。
【００３２】
携帯電話機１は、移動量検出部３１、スライド操作信号出力部３２、移動量一時記憶部３３、初期値記憶部３４、表示制御部３５及びキー操作検出部３６によって構成される。
【００３３】
移動量検出部３１は、投光部２１と、ＬＥＤ駆動部４１と、集光レンズ２２及びイメージセンサー２３からなる受光部４２と、画像処理部４３とによって構成され、指の移動量を所定の周期で繰返し検出する動作を行っている。
【００３４】
ＬＥＤ駆動部４１は、投光部２１を制御するドライバ回路からなる投光制御手段である。例えば、必要に応じて、投光部２１に対する電源供給を遮断し、消灯させる動作が行われる。
【００３５】
画像処理部４３は、イメージセンサー２３からの受光量情報に基づいて、指の移動量を所定の周期（検出周期Ｔ１と呼ぶことにする）で繰返し検出し、その検出結果をスライド操作信号出力部３２へ出力する動作を行っている。
【００３６】
画像処理部４３では、例えば、受光量情報に基づいて受光量の２次元分布からなる指の画像を一定の時間間隔で生成し、この指の画像、例えば、指紋画像を連続するフレーム間で比較することによって、指の移動量が検出される。つまり、指の移動量は、連続してサンプリングされる指画像の差分情報として生成される。指の移動量は、ｘ軸方向及びｙ軸方向の各成分について検出される。
【００３７】
ＬＥＤ駆動部４１、イメージセンサー２３及び画像処理部４３は、例えば、１つのＤＳＰ（Digital Signal Processor）によって構成される。
【００３８】
キー操作検出部３６は、操作キー２０１の押下操作に基づいて、所定のキー操作信号を生成し、表示制御部３５へ出力するキー操作信号の生成手段である。このキー操作信号は、ユーザによって操作された操作キー２０１に応じて生成される入力信号である。
【００３９】
スライド操作信号出力部３２は、移動量検出部３１によって検出された指の移動量と、キー操作検出部３６からのキー操作信号とに基づいて、所定のスライド操作信号を生成し、表示制御部３５へ出力する動作を行っている。
【００４０】
具体的には、画像処理部４３によって検出された指の移動量を第１の時間Ｔ２（Ｔ２≧Ｔ１）だけ遅延させてスライド操作信号として出力する動作が行われる。この遅延処理は、移動量の検出値を移動量一時記憶部３３に記憶させることによって行われる。そして、移動量の検出値と所定の閾値とを比較し、その比較結果に基づいてスライド操作信号の出力が開始される。すなわち、移動量の検出値及び閾値を比較してスライド操作信号を出力するか否かを判定するスライド操作入力判定手段を備え、移動量の検出値が閾値以下であれば、スライド操作信号を出力しない動作が行われる。一方、移動量の検出値が閾値を越えている場合には、閾値を越える移動量が検出されたことに基づいてスライド操作信号の出力が開始される。
【００４１】
例えば、閾値を越える移動量が最初に検出されたときから、第３の時間Ｔ３（Ｔ３≧Ｔ１）が経過したことに基づいて、スライド操作信号の出力が開始される。つまり、指の移動の検出結果に基づいて生成されるスライド操作信号は、移動量の検出値が閾値を越えてから一定期間中は、スライド操作信号は出力されない。
【００４２】
この様なスライド信号の非出力期間は、マウスポインタやカーソルの移動を行わない期間であり、制御信号として、初期値（一定値）、例えば、ゼロが出力されていても良い。移動量の検出値に代えて出力される初期値は、初期値記憶部３４に保持されている。
【００４３】
さらに、スライド操作信号出力部３２では、次にスライド操作信号を出力するまでの間に、決定キー２０４の操作によるキー操作信号が生成された場合に、当該キー操作信号の生成時点から遡って第２の時間Ｔ４（Ｔ４≦Ｔ２）前の時点よりも後に検出された移動量に基づいて、スライド操作信号の出力を終了する動作が行われる。つまり、スライド操作信号の出力開始後に決定キー２０４が操作された場合には、当該キー操作から遡って一定時間Ｔ４前の時点よりも後に検出された移動量に基づいて、スライド操作信号の出力が終了される。ここで、上記第２の時間Ｔ４は、検出周期Ｔ１以上であるものとする。
【００４４】
なお、スライド操作信号の出力は、移動量の検出値が所定の閾値以下となってから一定時間が経過したことに基づいて終了しても良い。また、スライド操作信号の出力は、電源投入によって開始するものであっても良い。
【００４５】
表示制御部３５は、ディスプレイ１０１を構成する液晶表示パネルを制御するＬＣＤコントローラからなり、キー操作検出部３６からのキー操作信号と、スライド操作信号出力部３２からのスライド操作信号とに基づいて、表示面上に情報を表示させる動作を行っている。
【００４６】
例えば、ユーザによって方向キー２０３が操作された場合に、表示面上のカーソルを所定方向に所定量だけ移動させる動作が行われる。また、指をキートップ１０ｂ上でスライドさせる操作が行われた場合には、指の移動量に応じて、表示面上のマウスポインタ又はカーソルを所定方向に所定量だけ移動させ、或いは、画面をスクロールさせる動作が行われる。キートップ１０ｂ上における指のスライド操作による入力の場合、指の移動速度に応じてマウスポインタやカーソルの移動速度及び移動量を異ならせる制御を行っても良い。
【００４７】
図４は、図１の携帯電話機１の動作の一例を示した図であり、移動量検出部３１及びスライド操作信号の出力例が示されている。移動量検出部３１による指の移動の検出は、一定の検出周期Ｔ１で繰返し行われる。例えば、移動量の検出は、Ｔ１＝３０ｍｓ程度の時間間隔で繰返し行われる。
【００４８】
これに対して、スライド操作信号は、移動量の検出時点から一定時間（第１の時間Ｔ２）だけ遅延させて出力される。その際、閾値を越える移動量が検出されてから、一定時間（第３の時間Ｔ３）が経過したことに基づいて、スライド操作信号の出力が開始される。
【００４９】
この例では、移動量の検出値「検出値１」が初めて閾値を越え、この検出値の検出時点から一定時間Ｔ３内に検出された「検出値１」及び「検出値２」について、これらの検出値は出力されず、「検出値１」の検出時点から一定時間Ｔ３が経過したことに基づいてスライド操作信号の出力が開始されている。
【００５０】
一定時間Ｔ３の経過後に検出された「検出値３」、「検出値４」、・・・、「検出値１２」については、これらの検出値が、スライド操作信号として順次に出力されている。
【００５１】
さらに、次にスライド操作信号を出力するまでの間に、決定キー２０４が操作された場合、当該操作時点から遡って一定時間（第２の時間Ｔ４）前の時点までの間に検出された移動量について、これらの移動量の検出値は出力されず、一定時間Ｔ４前の時点以後に検出された移動量に基づいてスライド操作信号の出力は終了される。
【００５２】
この例では、移動量の検出値「検出値１１」の出力後に決定キー２０４の操作が検出され、このキー操作の時点から遡って一定時間Ｔ４内に検出された「検出値１３」及び「検出値１４」について、これらの検出値は出力されず、スライド操作信号の出力は、「検出値１３」の検出に基づいて終了されている。
【００５３】
一般に、指をスライド操作した際に実際に当該操作に基づく入力がなされるまでの応答時間は短い方が良いので、遅延時間Ｔ２は短い方が望ましい。そこで、例えば、遅延時間Ｔ２＝Ｔ１と定められる。また、時間Ｔ３、Ｔ４について、例えば、Ｔ３＝Ｔ４＝Ｔ１と定められる。
【００５４】
図５のステップＳ１０１〜Ｓ１０８は、図１の携帯電話機１における動作の一例を示したフローチャートである。まず、スライド操作信号出力部３２は、画像処理部４３から移動量の検出値を取得する（ステップＳ１０１）。
【００５５】
このとき、移動量の検出値と所定の閾値とを比較し、移動量の検出値が閾値以下であれば、スライド操作信号は出力せず、ステップＳ１０１の処理手順を繰り返す（ステップＳ１０２）。一方、移動量の検出値が閾値を越えている場合には、当該検出値を一時記憶させ、閾値を越える移動量が検出されてから一定時間が経過したことに基づいて、移動量の検出値に応じてスライド操作信号が出力される（ステップＳ１０３〜Ｓ１０５）。
【００５６】
次に、スライド操作信号出力部３２は、次にスライド操作信号を出力するまでの間に、決定キー２０４が操作された場合、当該操作時点から遡って一定時間Ｔ４前の時点までの期間を無効期間として、この無効期間内に検出された移動量について、移動量の検出値を出力せず、スライド操作信号の出力を終了する（ステップＳ１０６〜Ｓ１０８）。
【００５７】
ここで、スライド操作信号出力部３２は、決定キー２０４の操作が未検出であれば、ステップＳ１０５の処理手順を繰り返す（ステップＳ１０６）。また、決定キー２０４の操作が検出された後であっても、無効期間以前に検出された移動量の検出値が未出力である場合にも、ステップＳ１０６の処理手順を繰り返す（ステップＳ１０７）。
【００５８】
本実施の形態によれば、次にスライド操作信号を出力するまでの間に、決定キー２０４の操作によるキー操作信号が生成された場合に、キー操作信号の生成時点から遡って第２の時間Ｔ４前の時点よりも後に検出された移動量に基づいて、スライド操作信号の出力が終了されるので、キー操作の直前における指の移動が誤検出され、ユーザの意図しない入力がなされるのを抑制することができる。従って、光学式ポインティングデバイスによる入力に続けて決定キー２０４を操作する際の誤入力が抑制され、ユーザの意図しない入力が行われるのを防止することができるので、光を用いて指の移動量を検出し、マウスポインタやカーソルの移動に利用可能なスライド操作信号を出力する携帯端末装置の操作性を向上することができる。
【００５９】
また、閾値を越える移動量が最初に検出されたときから第３の時間Ｔ３が経過するまでの間に検出された移動量は出力されないので、光学式ポインティングデバイスの操作直後における誤入力を抑制することができる。
【図面の簡単な説明】
【００６０】
【図１】本発明の実施の形態による携帯端末装置の概略構成の一例を示した外観図であり、携帯端末装置の一例として、折り畳み可能な携帯電話機１が示されている。
【図２】図１の携帯電話機１の要部における構成例を示した断面図であり、操作筐体２００をＡ−Ａ線で切断した断面の様子が示されている。
【図３】図１の携帯電話機１の構成例を示したブロック図であり、携帯電話機１内の機能構成の一例が示されている。
【図４】図１の携帯電話機１の動作の一例を示した図であり、移動量検出部３１及びスライド操作信号の出力例が示されている。
【図５】図１の携帯電話機１における動作の一例を示したフローチャートである。
【符号の説明】
【００６１】
１  携帯電話機
１０ａ，１０ｂ  キートップ
１０ｃ  収容部
１１  押し子
１２，１３  基板
１４  電極板
１５  スペーサー
２１  投光部
２２  集光レンズ
２３  イメージセンサー
３１  移動量検出部
３２  スライド操作信号出力部
３３  移動量一時記憶部
３４  初期値記憶部
３５  表示制御部
３６  キー操作検出部
４１  ＬＥＤ駆動部
４２  受光部
４３  画像処理部
１００  表示筐体
１０１  ディスプレイ
１０２  受話用レシーバ
２００  操作筐体
２０１  操作キー
２０２  送話用マイクロホン
２０３  方向キー
２０３ａ  左キー
２０３ｂ  右キー
２０４  決定キー
３００  ヒンジ部
【図１】
0005052400.tif 000002
【図２】
0005052400.tif 000003
【図３】
0005052400.tif 000004
【図４】
0005052400.tif 000005
【図５】
0005052400.tif 000006